(57)【要約】【課題】端子挿入口から本体部の内部に異物が侵入して弾性接触片の変形が生じ、導通不良を生じることを回避できる端子金具を提供する。【解決手段】端子金具１は、雄端子金具４０のタブ部４１を挿入可能な端子挿入口１６を有する本体部１０と、端子挿入口１６に被せられて配置され、タブ部４１を挿通可能な開口部３４を有する進入規制枠３０とを備え、開口部３４の開口寸法が端子挿入口１６の開口寸法よりも小さくなっている。このような構成によれば、端子挿入口１６から本体部１０の内部に異物が侵入することを規制し、弾性接触片１７の変形による導通不良を回避できる。【選択図】図９
2017142891.tif 000002
【特許請求の範囲】
【請求項１】
相手側の端子金具を挿入可能な端子挿入口を有する本体部と、
前記端子挿入口に被せられるように本体部に組み付けられ、前記相手側の端子金具を挿通可能な開口部を有する進入規制部とを備え、
前記開口部の開口寸法が前記端子挿入口の開口寸法よりも小さくなっている、端子金具。
【請求項２】
前記本体部が、前記相手側の端子金具を囲む周壁部を有し、前記周壁部の一部が、内壁部と外壁部とが重ねて配された二重壁となっており、
前記進入規制部が、前記外壁部から延びる連結部によって前記本体部と接続されている、請求項１に記載の端子金具。
【発明の詳細な説明】
【技術分野】
【０００１】
本明細書によって開示される技術は、端子金具に関する。
【背景技術】
【０００２】
電線の末端に接続される雌型の端子金具は、一般に、相手側である雄端子金具を受け入れる本体部と、この本体部から連なり、電線が圧着される電線圧着部とを備えている。本体部は、筒状をなしており、雄端子金具を挿入可能な端子挿入口を備えている。本体部の内部には、雄端子金具との接続のための弾性接触片が配置されている（特許文献１参照）。
【先行技術文献】
【特許文献】
【０００３】
【特許文献１】特開２０１５−２０７３７２号公報
【発明の概要】
【発明が解決しようとする課題】
【０００４】
上記の構成の端子金具では、端子挿入口から本体部の内部に異物が侵入してしまうことがある。このような事態が生じると、弾性接触片が変形し、導通不良を生じることが懸念される。
【課題を解決するための手段】
【０００５】
本明細書によって開示される端子金具は、相手側の端子金具を挿入可能な端子挿入口を有する本体部と、前記端子挿入口に被せられるように本体部に組み付けられ、前記相手側の端子金具を挿通可能な開口部を有する進入規制部とを備え、前記開口部の開口寸法が前記端子挿入口の開口寸法よりも小さくなっている。
【０００６】
上記の構成によれば、端子挿入口から本体部の内部に異物が侵入することを規制し、弾性接触片の変形による導通不良を回避できる。
【０００７】
上記の構成において、前記本体部が、前記相手側の端子金具を囲む周壁部を有し、前記周壁部の一部が、内壁部と外壁部とが重ねて配された二重壁となっており、前記進入規制部が、前記外壁部から延びる連結部によって前記本体部と接続されていてもよい。
【０００８】
上記の構成によれば、周壁部の一部が二重壁となっている分だけ、連結部の長さを稼ぐことができ、端子金具を製造する際の連結部の曲げ加工が容易となる。
【発明の効果】
【０００９】
本明細書によって開示される端子金具によれば、端子挿入口から本体部の内部に異物が侵入して弾性接触片の変形が生じ、導通不良を生じることを回避できる。
【図面の簡単な説明】
【００１０】
【図１】実施形態の端子金具の斜視図
【図２】実施形態の端子金具の平面図
【図３】実施形態の端子金具の底面図
【図４】実施形態の端子金具の正面図
【図５】実施形態の端子金具の背面図
【図６】実施形態の端子金具の右側面図
【図７】実施形態の端子金具の左側面図
【図８】図４のＡ−Ａ線断面図
【図９】図４のＢ−Ｂ線断面図
【発明を実施するための形態】
【００１１】
実施形態１を図１〜図９を参照しつつ説明する。本実施形態の端子金具１は、雄端子金具４０（相手側の端子金具に該当）と接続される雌型の端子金具であって、図１に示すように、内部に雄端子金具４０のタブ部４１を受け入れる本体部１０と、この本体部１０から連なる電線接続部２０と、本体部１０に対して連結部３５を介して接続される進入規制枠３０（進入規制部に該当）とを備えている。
【００１２】
本体部１０は、図１に示すように、両端が開口した角筒状の部分であって、図８および図９に示すように、底壁部１１と、一対の側壁部１２と、天壁部１３とを備えている。底壁部１１は、全体として細長い長方形の板状の部分である。一対の側壁部１２のそれぞれは、底壁部１１の２つの長辺のそれぞれから、底壁部１１に対して垂直に立ち上がる、全体として細長い長方形の板状の部分である。２つの側壁部１２は、互いに向かい合って配置されている。天壁部１３は、底壁部１１に対向して配置される部分であって、図９に示すように、互いに重なって配置される内天壁１４（内壁部に該当）と外天壁１５（外壁部に該当）とで構成される。内天壁１４は、全体として細長い長方形の板状の部分であって、一対の側壁部１２のうち一方の側壁部１２から連なり、他方の側壁部１２に向かって延びている。外天壁１５は、全体として細長い長方形の板状の部分であって、他方の側壁部１２から連なり、一方の側壁部１２に向かって延びている。外天壁１５は、内天壁１４において底壁部１１とは反対側の面に重ねられている。これらの底壁部１１、一対の側壁部１２および天壁部１３が、タブ部４１を囲む周壁部を構成する。
【００１３】
本体部１０の両端の開口部のうち一方の開口部は、図８および図９に示すように、タブ部４１が挿入される端子挿入口１６となっている。
【００１４】
底壁部１１は、図３、図６および図７に示すように、端子挿入口１６の開口縁を構成する短辺と２つの長辺のそれぞれとで構成される角部に、それぞれ係止片収容凹部１９を有している。各係止片収容凹部１９は、２か所の角部のそれぞれが矩形状に切り欠かれたような形状をなしており、底壁部１１の各角部を構成する短辺と長辺とを基準として凹む凹部である。
【００１５】
本体部１０は、弾性接触片１７を有している。弾性接触片１７は、図９に示すように、本体部１０の内部に配置され、底壁部１１に沿って延びる板バネ状の部分であって、一端が、底壁部１１において端子挿入口１６の開口縁を構成する端縁に連なる基端部とされ、他端部が自由端部となっている。弾性接触片１７は、基端部に近い一部分が、端子挿入口１６から離れるにつれて緩やかに底壁部１１から離間し、自由端部に近い残りの部分が端子挿入口１６から離れるにつれて緩やかに底壁部１１に近づく山状をなしており、山の頂点部分が、雄端子金具４０と接触する接点部１７Ｃとなっている。
【００１６】
底壁部１１は、弾性接触片１７を補助する補助ばね片１８と、弾性接触片１７の過度の撓みを防止する過度撓み防止部１１Ｈとを有している。
【００１７】
底壁部１１は、図３および図８に示すように、Ｕ字状のスリットＳを有しており、このスリットＳに囲まれた部分が、底壁部１１の板面に対して垂直方向に弾性的に撓み可能な補助ばね片１８となっている。補助ばね片１８は、図９に示すように、端子挿入口１６とは反対側の一端が底壁部１１から連なる基端部とされ、その反対側の自由端部が本体部１０の内側に向かって撓んでいる。補助ばね片１８の自由端部は、弾性接触片１７の自由端部に外側から当接している。弾性接触片１７が外側に向かって撓み変形すると、補助ばね片１８の自由端部が弾性接触片１７の自由端部に押されて双方が同時に撓み変形することになるため、タブ部４１に対する接圧が補助ばね片１８による接圧分だけ強くなる。
【００１８】
底壁部１１の一部分（補助ばね片１８よりも端子挿入口１６に近接し、接点部１７Ｃと対向する部分）は、図９に示すように、内側に向かって（弾性接触片１７に向かって）膨出しており、この膨出部分は、過度撓み防止部１１Ｈとなっている。弾性接触片１７が過度に撓み変形しようとした場合、弾性接触片１７が過度撓み防止部１１Ｈに当接することで弾性接触片１７のそれ以上の撓みが防止される。
【００１９】
内天壁１４の一部分（接点部１７Ｃと対向する部分）は、図９に示すように、内側に向かって（弾性接触片１７に向かって）膨出しており、この膨出部分は、接点部１７Ｃとの間で雄端子金具４０を挟み付けてタブ部４１との接触圧を確保するための受圧部１４Ｈとなっている。
【００２０】
電線接続部２０は、図１に示すように、底壁部１１において端子挿入口１６とは反対側の端縁から延びる底板２１と、この底板２１から延びる２対のバレル部２２、２３とを備えている。２対のバレル部２２、２３が電線（図示せず）の一端部にかしめ付けられることで端子金具１と電線とが接続される。
【００２１】
進入規制枠３０は、図１および図４に示すように、矩形の枠状の部分であって、図８および図９に示すように、本体部１０の端子挿入口１６に被せられるように配置されている。
【００２２】
進入規制枠３０は、図４に示すように、互いに平行に配置される底枠部３１および天枠部３２と、底枠部３１と天枠部３２の両端同士を繋ぐ一対の側枠部３３とを備えており、底枠部３１、天枠部３２および一対の側枠部３３で囲まれた空間は、タブ部４１を挿通可能な開口部３４となっている。底枠部３１は、図９に示すように、底壁部１１において端子挿入口１６の開口縁を構成する端縁に沿って配置されている。天枠部３２は、図９に示すように、内天壁１４において端子挿入口１６の開口縁を構成する端縁に沿って配置されている。一対の側枠部３３のそれぞれは、図８に示すように、一対の側壁部１２のそれぞれにおいて端子挿入口１６の開口縁を構成する端縁に沿って配置されている。
【００２３】
開口部３４の開口寸法は、図８および図９に示すように、端子挿入口１６の開口寸法よりも小さいが、タブ部４１を挿通可能な大きさとなっている。具体的には、図８に示すように、一対の側枠部３３間の距離Ｄ３０ａは、一対の側壁部１２間の距離Ｄ１０ａよりも小さいが、タブ部４１の幅Ｗよりは大きくなっている。また、図９に示すように、底枠部３１と天枠部３２との距離Ｄ３０ｂは、底壁部１１と内天壁１４との距離Ｄ１０ｂよりも小さいが、タブ部４１の厚みＴよりは大きくなっており、自由状態（本体部１０の内部に雄端子金具４０が挿通されていない状態）での接点部１７Ｃと受圧部１４Ｈとの距離Ｄ１０ｃよりも大きくなっている。
【００２４】
連結部３５は、図１に示すように、外天壁１５から底壁部１１に向かって湾曲しつつ延び、天枠部３２に接続される板状の部分である。なお、連結部３５は、外天壁１５から延びているため、天壁部１３が外天壁１５と内天壁１４との二重壁となっている分だけ、連結部３５が他の壁部から延びている場合と比較して、連結部３５の長さを稼ぐことができ、端子金具１を製造する際の連結部３５の曲げ加工が容易となる。
【００２５】
進入規制枠３０からは、一対の係止片３６が延びている。一対の係止片３６のそれぞれは、図４、図６および図７に示すように、底枠部３１から連なり、進入規制枠３０に対して垂直に延びている。各係止片３６は、図３、図６および図７に示すように、係止片収容凹部１９に収容されて、一対の側壁部１２のそれぞれに係合することによって、進入規制枠３０の本体部１０に対する外れ止めの役割を果たしている。各係止片３６は、係止片収容凹部１９に収容されることによって、底壁部１１と同一平面内に配置され、底壁部１１から外側に飛び出さない状態となっている。
【００２６】
この端子金具１が雄端子金具４０と接続される際には、図８および図９に示すように、タブ部４１が、進入規制枠３０の開口部３４を通って端子挿入口１６から本体部１０の内部に進入する。開口部３４はタブ部４１を挿通可能な大きさとなっていることで、進入規制枠３０が端子金具１と雄端子金具４０との接続を妨げないようになっている。
【００２７】
タブ部４１は、本体部１０の内部に進入していくと、弾性接触片１７の接点部１７Ｃと当接して、弾性接触片１７を下方へ押圧する。これにより補助ばね片１８も下方に押圧されて、下方に弾性撓み変形する。この結果、タブ部４１に弾性接触片１７及び補助ばね片１８からの弾発力が働き、タブ部４１は、受圧部１４Ｈと、弾性接触片１７の接点部１７Ｃとの間に挟み付けられる。これにより端子金具１と雄端子金具４０との電気的接続が図られる。
【００２８】
本体部１０には、端子挿入口１６の開口寸法よりも小さな開口寸法を有する進入規制枠３０が被せられているため、端子金具１が雄端子金具４０と接続されていない状態（運搬中、保管中など）においては、本体部１０の内部への異物の進入を抑制できる。
【００２９】
以上のように本実施形態によれば、端子金具１は、雄端子金具４０のタブ部４１を挿入可能な端子挿入口１６を有する本体部１０と、端子挿入口１６に被せられるように本体部１０に組み付けられ、タブ部４１を挿通可能な開口部３４を有する進入規制枠３０とを備え、開口部３４の開口寸法が端子挿入口１６の開口寸法よりも小さくなっている。
【００３０】
上記の構成によれば、端子挿入口１６から本体部１０の内部に異物が侵入することを規制し、弾性接触片１７の変形による導通不良を回避できる。
【００３１】
また、本体部１０が、タブ部４１を囲む底壁部１１、一対の側壁部１２および天壁部１３を有し、天壁部１３が、内天壁１４と外天壁１５とが重ねて配された二重壁となっており、進入規制枠３０が、外天壁１５から延びる連結部３５によって本体部１０と接続されている。
【００３２】
上記の構成によれば、天壁部１３が二重壁となっている分だけ、連結部３５が他の壁部から延びている場合と比較して、連結部３５の長さを稼ぐことができ、端子金具１を製造する際の連結部３５の曲げ加工が容易となる。
【００３３】
＜他の実施形態＞
本明細書によって開示される技術は上記記述及び図面によって説明した実施形態に限定されるものではなく、例えば次のような種々の態様も含まれる。
（１）上記実施形態では、進入規制枠３０が外天壁１５から延びる連結部３５によって本体部１０と接続されていたが、進入規制枠は一対の側壁部のどちらかに接続されていてもよく、底壁部に接続されていても構わない。
【００３４】
（２）上記実施形態では、天壁部１３が二重壁であったが、周壁部の一部が二重壁でなくても構わない。
【００３５】
（３）上記実施形態では、進入規制枠３０が本体部１０に対して連結部３５を介して接続されていたが、進入規制枠が本体部と別体に構成されていても構わない。
【符号の説明】
【００３６】
１…端子金具
１０…本体部
１１…底壁部（周壁部）
１２…側壁部（周壁部）
１３…天壁部（周壁部）
１４…内天壁（内壁部）
１５…外天壁（外壁部）
１６…端子挿入口（開口部）
３０…進入規制枠（進入規制部）
３５…連結部
４０…雄端子金具（相手側の端子金具）
【図１】
2017142891.tif 000003
【図２】
2017142891.tif 000004
【図３】
2017142891.tif 000005
【図４】
2017142891.tif 000006
【図５】
2017142891.tif 000007
【図６】
2017142891.tif 000008
【図７】
2017142891.tif 000009
【図８】
2017142891.tif 000010
【図９】
2017142891.tif 000011